(57)【特許請求の範囲】
【請求項１】
セキュアな近接通信であるセキュア通信を行うセキュア通信部と、
前記セキュア通信より高速な近接通信である高速通信を行う高速通信部と、
電力伝送を行う電力伝送部と、
前記高速通信によってダウンロードしたコンテンツを記憶するコンテンツ記憶部と、
前記コンテンツに関する情報を保持するセキュアメモリと、
前記コンテンツのダウンロード時に、前記セキュア通信により、前記コンテンツのダウンロードに関する決済情報を前記セキュアメモリに書き込む情報書込部と、を備え、
前記セキュア通信による通信と前記電力伝送部による電力伝送とを時系列的に重複しないタイミングで行う、通信装置。
【請求項２】
前記コンテンツのダウンロード時に、前記高速通信によるダウンロードと、前記セキュアメモリへのダウンロード済みデータ量の書き込みとを交互に行う、請求項１に記載の通信装置。
【請求項３】
複数のコンテンツを記憶するコンテンツ記憶部と、
前記コンテンツに関する情報を保持するセキュアメモリと、
前記高速通信により前記コンテンツをリーダライタ装置へ転送する前に、前記セキュア通信により、前記複数のコンテンツの少なくとも１つに関する決済情報を前記セキュアメモリに書き込む情報書込部と、を備え、
前記高速通信によって、前記複数のコンテンツのうち、前記決済情報が書き込まれたコンテンツを前記リーダライタ装置へ転送する、請求項１に記載の通信装置。
【請求項４】
複数のコンテンツを記憶するコンテンツ記憶部と、
前記コンテンツに関する情報を保持するセキュアメモリと、
前記コンテンツをリーダライタ装置へ転送した際に、前記セキュア通信により、前記転送したコンテンツに関する転送済み情報を前記セキュアメモリに書き込む情報書込部と、
前記転送済み情報に基づいて前記転送したコンテンツの決済を行う決済処理部と、
を備える、請求項１に記載の通信装置。
【請求項５】
複数のコンテンツを記憶するコンテンツ記憶部と、
前記コンテンツに関する情報を保持するセキュアメモリと、
前記コンテンツをリーダライタ装置へ転送する前に、前記セキュア通信により、前記複数のコンテンツのうち決済が許可された前記コンテンツに対して決済を行う決済処理部と、とを備え、
前記高速通信によって、前記複数のコンテンツのうち、前記決済が行われたコンテンツを前記リーダライタ装置へ転送する、請求項１に記載の通信装置。
【請求項６】
高速通信によってダウンロードしたコンテンツを記憶するステップと、
前記コンテンツのダウンロード時に、前記高速通信よりも低速なセキュアな近接通信であるセキュア通信により、前記コンテンツのダウンロードに関する決済情報をセキュアメモリに書き込むステップと、
を備える、通信方法。
【請求項７】
複数のコンテンツをコンテンツ記憶部に記憶するステップと、
前記コンテンツに関する情報をセキュアメモリに保持するステップと、
高速通信により前記コンテンツをリーダライタ装置へ転送する前に、前記高速通信よりも低速なセキュアな近接通信であるセキュア通信により、前記複数のコンテンツの少なくとも１つに関する決済情報をセキュアメモリに書き込むステップと、
前記高速通信によって、前記複数のコンテンツのうち、前記決済情報が書き込まれたコンテンツを前記リーダライタ装置へ転送するステップと、
を備える通信方法。
【請求項８】
複数のコンテンツをコンテンツ記憶部に記憶するステップと、
前記コンテンツに関する情報をセキュアメモリに保持するステップと、
高速通信により前記コンテンツをリーダライタ装置へ転送した際に、前記高速通信よりも低速なセキュアな近接通信であるセキュア通信により、前記転送したコンテンツに関する転送済み情報を前記セキュアメモリに書き込むステップと、
前記転送済み情報に基づいて前記転送したコンテンツの決済を行うステップと、
を備える、通信方法。
【請求項９】
複数のコンテンツをコンテンツ記憶部に記憶するステップと、
前記コンテンツに関する情報をセキュアメモリに保持するステップと、
高速通信により前記コンテンツをリーダライタ装置へ転送する前に、前記高速通信よりも低速なセキュアな近接通信であるセキュア通信により、前記複数のコンテンツのうち決済が許可された前記コンテンツに対して決済を行うステップと、
前記高速通信によって、前記複数のコンテンツのうち、前記決済が行われたコンテンツを前記リーダライタ装置へ転送するステップと、
を備える通信方法。
【請求項１０】
セキュアな近接通信であるセキュア通信を行うセキュア通信部と、前記セキュア通信より高速な近接通信である高速通信を行う高速通信部と、電力伝送を行う電力伝送部と、を有し、前記セキュア通信による通信と前記電力伝送部による電力伝送とを時系列的に重複しないタイミングで行う、通信装置と、
前記通信装置との間で前記セキュア通信、前記高速通信及び前記電力伝送を行うリーダライタ装置と、
を備え、
前記通信装置は、
複数のコンテンツを記憶するコンテンツ記憶部と、
前記コンテンツに関する情報を保持するセキュアメモリと、
前記高速通信により前記コンテンツをリーダライタ装置へ転送する前に、前記セキュア通信により、前記複数のコンテンツの少なくとも１つに関する決済情報を前記セキュアメモリに書き込む情報書込部と、を備え、
前記高速通信によって、前記複数のコンテンツのうち、前記決済情報が書き込まれたコンテンツを前記リーダライタ装置へ転送する、通信システム。
【請求項１１】
前記コンテンツをリーダライタ装置へ転送した際に、前記セキュア通信により、前記転送したコンテンツに関する転送済み情報を前記セキュアメモリに書き込む情報書込部と、
前記転送済み情報に基づいて前記転送したコンテンツの決済を行う決済処理部と、
を備える、請求項１０に記載の通信システム。
【請求項１２】
前記コンテンツをリーダライタ装置へ転送する前に、前記セキュア通信により、前記複数のコンテンツのうち決済が許可された前記コンテンツに対して決済を行う決済処理部と、とを備え、
前記高速通信によって、前記複数のコンテンツのうち、前記決済が行われたコンテンツを前記リーダライタ装置へ転送する、請求項１０に記載の通信システム。
【発明の詳細な説明】
【技術分野】
【０００１】
本発明は、通信装置、通信方法及び通信システムに関する。
【背景技術】
【０００２】
近年、IC(Integrated Circuit)カード等を用いて、近距離で非接触により無線通信を行う近接通信が、例えば、電子定期券や、電子マネー等で利用されており、また、近接通信を利用した電子定期券や、電子マネーの機能を有する携帯電話機が広く普及してきている。近接通信は、例えば、ISO/IEC 14443や、ISO/IEC 18092（以下、NFC(Near Field Communication)ともいう)として規格化されている。
【０００３】
NFCの規格に準拠した通信を行う通信方式としては、例えば、タイプA、タイプB、タイプCと呼ばれている通信方式がある。例えば、本件出願人であるソニー株式会社のFeliCa（登録商標）と呼ばれるICカードシステムでは、タイプCが採用されている。
【０００４】
ところで、例えば、上述のタイプCでは、13.56MHzのキャリアが採用され、212kbps(kilo bit per second)や、424kbpsの通信速度で、近接通信が行われる。また、タイプA及びBでは、タイプCよりも低速である106kbpsの通信速度で、近接通信が行われる。以上のように、NFCの通信速度は、数百kbps程度で、それほど高速ではないため、例えば、画像のコンテンツ等の大容量のデータの伝送に適切であるとは、いえない。
【０００５】
一方、NFCでは、ICカードをRW(Reader/Writer)かざすだけで、通信相手を特定し、相互認証を行うことができる。そこで、最初に、NFCで通信を開始し、その後、通信速度がNFCよりも高速な、例えば、無線LANや、Bluetooth（登録商標）等の通信に、通信方式を切り替えるハンドオーバが提案されている（例えば、特許文献１を参照）。
【０００６】
ところで、最近では、NFCよりも高速な通信速度での近接通信が普及しつつある。そのような高速な近接通信の通信方式としては、例えば、TransferJet（登録商標）がある。TransferJet（登録商標）では、4.48GHzのキャリアが採用され、最高で、560Mbpsの通信速度で、近接通信が行われる。
【０００７】
以上のようなTransferJet（登録商標）を、ICカードシステムに適用することで、ICカードと、そのICカードに対するデータの読み書きを行うRWとの間では、画像のコンテンツ等の大容量のデータの伝送を、迅速に行うことができる。
【０００８】
TransferJet（登録商標）等の高速な近接通信の通信方式を、ICカードシステムに適用した場合には、ハンドオーバを採用しなくても、ICカードを、RWにかざすだけで、RW、及び、ICカードは、通信相手を特定し、画像のコンテンツ等の大容量のデータの伝送を、迅速に行うことができる。
【０００９】
一方、近時においては、特許文献２に記載されているように、ＭＭＣと有線セキュアチップによるコンテンツ課金方法が知られている。
【先行技術文献】
【特許文献】
【００１０】
【特許文献１】特開２００９−２１８８４５号公報
【特許文献２】特開２００３−９１７０４号公報
【発明の概要】
【発明が解決しようとする課題】
【００１１】
しかしながら、従来のコンテンツダウンロードは、パーソナルコンピュータや携帯電話、および携帯型ＣＥ機器などで実現されている。このため、これらの機器は全てバッテリが搭載されているか、またはＡＣアダプタによる常時通電が前提となっている。また、特許文献２のように、ＭＭＣのようなフラッシュに対してセキュア機能を付加し課金に対応させる事例もあるが、これはすべて有線端子での処理を前提としている。
【００１２】
そこで、本発明は、上記問題に鑑みてなされたものであり、本発明の目的とするところは、コンテンツダウンロード、および課金処理をすべて無線通信で実現することにより、簡素な操作で有料コンテンツを購入することが可能な、新規かつ改良された通信装置、通信方法及び通信システムを提供することにある。
【課題を解決するための手段】
【００１３】
上記課題を解決するために、本発明のある観点によれば、セキュアな近接通信であるセキュア通信を行うセキュア通信部と、前記セキュア通信より高速な近接通信である高速通信を行う高速通信部と、を備え、前記セキュア通信による決済処理と前記高速通信によるコンテンツ転送処理とを時系列的に重複しないタイミングで行う、通信装置が提供される。
【００１４】
また、前記高速通信によってダウンロードしたコンテンツを記憶するコンテンツ記憶部と、前記コンテンツに関する情報を保持するセキュアメモリと、前記コンテンツのダウンロード時に、前記セキュア通信により、前記コンテンツのダウンロードに関する決済情報を前記セキュアメモリに書き込む情報書込部と、を備えるものであってもよい。
【００１５】
また、前記コンテンツのダウンロード時に、前記高速通信によるダウンロードと、前記セキュアメモリへのダウンロード済みデータ量の書き込みとを交互に行うものであってもよい。
【００１６】
また、複数のコンテンツを記憶するコンテンツ記憶部と、前記コンテンツに関する情報を保持するセキュアメモリと、前記高速通信により前記コンテンツをリーダライタ装置へ転送する前に、前記セキュア通信により、前記複数のコンテンツの少なくとも１つに関する決済情報を前記セキュアメモリに書き込む情報書込部と、を備え、前記高速通信によって、前記複数のコンテンツのうち、前記決済情報が書き込まれたコンテンツを前記リーダライタ装置へ転送するものであってもよい。
【００１７】
また、複数のコンテンツを記憶するコンテンツ記憶部と、前記コンテンツに関する情報を保持するセキュアメモリと、前記コンテンツをリーダライタ装置へ転送した際に、前記セキュア通信により、前記転送したコンテンツに関する転送済み情報を前記セキュアメモリに書き込む情報書込部と、前記転送済み情報に基づいて前記転送したコンテンツの決済を行う決済処理部と、を備えるものであってもよい。
【００１８】
また、複数のコンテンツを記憶するコンテンツ記憶部と、前記コンテンツに関する情報を保持するセキュアメモリと、前記コンテンツをリーダライタ装置へ転送する前に、前記セキュア通信により、前記複数のコンテンツのうち決済が許可された前記コンテンツに対して決済を行う決済処理部と、とを備え、前記高速通信によって、前記複数のコンテンツのうち、前記決済が行われたコンテンツを前記リーダライタ装置へ転送するものであってもよい。
【００１９】
また、上記課題を解決するために、本発明の別の観点によれば、高速通信によってダウンロードしたコンテンツを記憶するステップと、前記コンテンツのダウンロード時に、前記高速通信よりも低速なセキュアな近接通信であるセキュア通信により、前記コンテンツのダウンロードに関する決済情報をセキュアメモリに書き込むステップと、を備える、通信方法が提供される。
【００２０】
また、上記課題を解決するために、本発明の別の観点によれば、複数のコンテンツをコンテンツ記憶部に記憶するステップと、前記コンテンツに関する情報をセキュアメモリに保持するステップと、高速通信により前記コンテンツをリーダライタ装置へ転送する前に、前記高速通信よりも低速なセキュアな近接通信であるセキュア通信により、前記複数のコンテンツの少なくとも１つに関する決済情報をセキュアメモリに書き込むステップと、前記高速通信によって、前記複数のコンテンツのうち、前記決済情報が書き込まれたコンテンツを前記リーダライタ装置へ転送するステップと、を備える通信方法が提供される。
【００２１】
また、上記課題を解決するために、本発明の別の観点によれば、複数のコンテンツをコンテンツ記憶部に記憶するステップと、前記コンテンツに関する情報をセキュアメモリに保持するステップと、高速通信により前記コンテンツをリーダライタ装置へ転送した際に、前記高速通信よりも低速なセキュアな近接通信であるセキュア通信により、前記転送したコンテンツに関する転送済み情報を前記セキュアメモリに書き込むステップと、前記転送済み情報に基づいて前記転送したコンテンツの決済を行うステップと、を備える、通信方法が提供される。
【００２２】
また、上記課題を解決するために、本発明の別の観点によれば、複数のコンテンツをコンテンツ記憶部に記憶するステップと、前記コンテンツに関する情報をセキュアメモリに保持するステップと、高速通信により前記コンテンツをリーダライタ装置へ転送する前に、前記高速通信よりも低速なセキュアな近接通信であるセキュア通信により、前記複数のコンテンツのうち決済が許可された前記コンテンツに対して決済を行うステップと、前記高速通信によって、前記複数のコンテンツのうち、前記決済が行われたコンテンツを前記リーダライタ装置へ転送するステップと、を備える通信方法が提供される。
【００２３】
また、上記課題を解決するために、本発明の別の観点によれば、セキュアな近接通信であるセキュア通信を行うセキュア通信部と、前記セキュア通信より高速な近接通信である高速通信を行う高速通信部と、電力伝送を行う電力伝送部と、を有し、前記セキュア通信による通信と前記電力伝送部による電力伝送とを時系列的に重複しないタイミングで行う、通信装置と、前記通信装置との間で前記セキュア通信、前記高速通信及び前記電力伝送を行うリーダライタ装置と、を備える、通信システムが提供される。
【００２４】
また、前記通信装置は、複数のコンテンツを記憶するコンテンツ記憶部と、前記コンテンツに関する情報を保持するセキュアメモリと、前記高速通信により前記コンテンツをリーダライタ装置へ転送する前に、前記セキュア通信により、前記複数のコンテンツの少なくとも１つに関する決済情報を前記セキュアメモリに書き込む情報書込部と、を備え、前記高速通信によって、前記複数のコンテンツのうち、前記決済情報が書き込まれたコンテンツを前記リーダライタ装置へ転送するものであってもよい。
【００２５】
また、前記通信装置は、複数のコンテンツを記憶するコンテンツ記憶部と、前記コンテンツに関する情報を保持するセキュアメモリと、前記コンテンツをリーダライタ装置へ転送した際に、前記セキュア通信により、前記転送したコンテンツに関する転送済み情報を前記セキュアメモリに書き込む情報書込部と、前記転送済み情報に基づいて前記転送したコンテンツの決済を行う決済処理部と、を備えるものであってもよい。
【００２６】
また、前記通信装置は、複数のコンテンツを記憶するコンテンツ記憶部と、前記コンテンツに関する情報を保持するセキュアメモリと、前記コンテンツをリーダライタ装置へ転送する前に、前記セキュア通信により、前記複数のコンテンツのうち決済が許可された前記コンテンツに対して決済を行う決済処理部と、とを備え、前記高速通信によって、前記複数のコンテンツのうち、前記決済が行われたコンテンツを前記リーダライタ装置へ転送するものであってもよい。
【００２７】
また、前記通信装置は、複数のコンテンツを記憶するコンテンツ記憶部と、前記コンテンツに関する情報を保持するセキュアメモリと、前記コンテンツをリーダライタ装置へ転送する前に、前記セキュア通信により、前記複数のコンテンツのうち決済が許可された前記コンテンツに対して決済を行う決済処理部と、とを備え、前記高速通信によって、前記複数のコンテンツのうち、前記決済が行われたコンテンツを前記リーダライタ装置へ転送するものであってもよい。
【発明の効果】
【００２８】
本発明によれば、コンテンツダウンロード、および課金処理をすべて無線通信で実現することにより、簡素な操作で有料コンテンツを購入することが可能となる。
【図面の簡単な説明】
【００２９】
【図１】本実施形態に係る課金対応カード型非接触通信メディアのハードウェア構成図を示す模式図である。
【図２】課金対応読み書き装置（リーダライタ：以下、ＲＷという）のハードウェア構成を示す模式図である。
【図３】課金対応カード型非接触メディアに蓄積されるマネー情報の構造を示す模式図である。
【図４】課金対応カード型非接触メディアに蓄積されるコンテンツ情報の構造を示す模式図である。
【図５】課金対応カード型非接触メディアへのマネーチャージ処理シーケンスを示すタイミングチャートである。
【図６】「ダウンロード単純課金」の方法の実行時におけるコンテンツ書き込み、および決済処理シーケンスを示すタイミングチャートである。
【図７】「ダウンロード単純課金」の方法実行時のコンテンツ読み出しシーケンスを示すタイミングチャートである。
【図８】「複数コンテンツプリペイド」方法実行時の事前コンテンツ書き込み処理シーケンスを示すタイミングチャートである。
【図９】「複数コンテンツプリペイド」方法実行時の課金処理、およびコンテンツ読み出しシーケンスを示すタイミングチャートである。
【図１０】「複数コンテンツポストペイド」の方法実行時のコンテンツ読み出しシーケンスを示すタイミングチャートである。
【図１１】「複数コンテンツポストペイド」の方法実行時の事後課金処理シーケンスを示すタイミングチャートである。
【図１２】「対象コンテンツ限定課金」の方法実行時のコンテンツ書き込み、および課金処理シーケンスを示すタイミングチャートである。
【発明を実施するための形態】
【００３０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３１】
なお、説明は以下の順序で行うものとする。
１．本実施形態の概要
２．本実施形態に係るシステムの具体的構成例
３．リーダライタの構成例
４．非接触通信メディアとＲＷとが近接したときの処理
６．高速無線通信における暗号化処理
７．マネー情報の構造
８．コンテンツ情報の構造
９．各処理の具体的手順
【００３２】
１．本実施形態の概要
本実施形態では、電子マネーカード等に利用されるカード型の非接触メディア（以下、メディアカードと称する場合がある）を利用したシステムにおいて、課金などに関する４種類の利用方法を提供する。具体的には、「ダウンロード単純課金」、「複数コンテンツプリペイド」、「複数コンテンツポストペイド」、「対象コンテンツ限定課金」の４つの方法を提供する。以下、これらの概要について説明する。
【００３３】
「ダウンロード単純課金」は、キオスク端末などで、購入対象のコンテンツを検索後、所望のコンテンツをダウンロードし、メディアカードへの書き込み（ダウンロード）が完了すると、同じメディアカードを使って決済を行う方法に関するものである。
【００３４】
「複数コンテンツプリペイド」は、あらかじめ複数のコンテンツが書き込まれたメディアカードが存在し、ユーザが見たいコンテンツのみに対して、事前に決済処理を行うことで、当該コンテンツの閲覧を可能とする方法である。ユーザは、プリペイド方式で所望のコンテンツが書き込まれたメディアカードを購入することができる。
【００３５】
「複数コンテンツポストペイド」は、予め複数のコンテンツが書き込まれたメディアカードが存在し、ユーザが閲覧を行ったコンテンツのみに対して、後から（事後に）課金を行う方法である。例えば、レンタルショップ等において、複数のコンテンツをメディアカードに書き込み、家で実際に閲覧を行ったコンテンツにのみ、返却時に同じメディアカードを使って決済処理を行うケースが該当する。
【００３６】
「対象コンテンツ限定課金」では、例えばメディアカードに対して、映画、音楽、ゲームの３種類のコンテンツを購入可能に構成する。そして、事前にメディアカードにマネーをチャージする際に、どのコンテンツに対して有効かを示す属性を与えることで、対象外のコンテンツの購入をできなくする方法である。これは、例えば特定コンテンツに対するクーポン的なマネーチャージや、子供の持つメディアカードに対して親が購入可能なコンテンツに制限をかける場合に有効である。
【００３７】
２．非接触通信メディアの構成例
図１は、本実施形態に係る課金対応カード型非接触通信メディア１００のハードウェア構成図を示す模式図である。非接触通信メディア１００は、カード制御用ＣＰＵ１１０、大容量データ保存用の不揮発メモリ１１１、高速無線通信用スレーブコントローラ１１２を有して構成される。ここで、課金対応カード型非接触通信メディア１００は、電子マネーカードのようなメディア、または携帯電話などの機器に相当するものである。
【００３８】
非接触通信メディア１００は、無線により、後述するＲＷ２００との間で、セキュアな近接通信より高速な近接通信である高速通信を行うための、無線電力伝送によって送信されてくる電力を受信するスレーブ通信装置として機能する。
【００３９】
すなわち、非接触通信メディア１００は、メディア制御用CPU(Central Processing
Unit)１１０、不揮発メモリ１１１、高速通信スレーブコントローラ１１２、高速通信アンテナ１１３、セキュア通信チップ１２０、セキュア通信アンテナ１２１、電力受信制御部１３０、電力受信アンテナ１３１、及び、給電制御部１３５を有する。
【００４０】
メディア制御用ＣＰＵ１１０は、不揮発メモリ１１１、及び、高速通信スレーブコントローラ１１２とバスを介して接続されており、不揮発メモリ１１１、及び、高速通信スレーブコントローラ１１２を制御する。
【００４１】
不揮発メモリ１１１は、大容量（例えば、６Ｇバイトや８Ｇバイト等）の、例えば、ＮＡＮＤ型のフラッシュメモリであり、カード制御用ＣＰＵ１１０の制御に従って、カード制御用CPU１１０から供給されるコンテンツ等のデータを記憶し、また、記憶しているデータを読み出して、カード制御用ＣＰＵ１１０に供給する。
【００４２】
ここで、不揮発メモリ１１１に対して読み書きがされるデータは、カード制御用CPU１１０を介して、高速通信スレーブコントローラ１１２による高速通信により、やりとりされる。
【００４３】
高速通信スレーブコントローラ１１２は、高速通信アンテナ１１３と接続されており、この高速通信アンテナ１１３を介して、無線により、ＲＷ２００との間で、後述するセキュア通信チップ１２０が行うセキュア通信より高速な近接通信である高速通信を行うスレーブ側高速通信手段として機能する。
【００４４】
ここで、高速通信の通信方式としては、例えば、高速な近接通信を行うことが可能なTransferJet（登録商標）を採用することができる。
【００４５】
その他、高速通信の通信方式としては、例えば、無線LANや、ワイヤレスUSB(Universal Serial Bus)、Bluetooth（登録商標）等の高速無線通信規格に準拠した通信方式を採用することができる。
【００４６】
なお、高速通信は、セキュアな通信である必要はない。したがって、高速通信の通信方式として、暗号化の技術が組み込まれた通信方式を採用する場合には、暗号化の技術は、利用しなくても良い。
【００４７】
また、本実施の形態では、高速通信の通信方式として、例えば、TransferJet（登録商標）を採用することとし、したがって、高速通信スレーブコントローラ１１２による高速通信では、4.48GHzのキャリアで、最高で、560Mbpsの通信速度の近接通信が行われることとする。
【００４８】
セキュア通信チップ１２０は、セキュア通信アンテナ１２１と接続されており、このセキュア通信アンテナ１２１を介して、無線により、RW２００との間で、セキュアな近接通信であるセキュア通信を行う、耐タンパ性を有するスレーブ側セキュア通信手段として機能する。
【００４９】
ここで、セキュア通信チップ１２０が行うセキュア通信の通信方式としては、例えば、セキュアな近接通信が可能なFeliCa（登録商標）を採用することができる。その他、セキュア通信の通信方式としては、セキュアな近接通信が可能な、NFC等の無線通信規格に準拠した通信方式（例えば、タイプAやB等）を採用することができる。
【００５０】
なお、本実施の形態では、セキュア通信の通信方式として、FeliCa（登録商標）を採用
することとし、したがって、セキュア通信では、13.56MHzのキャリアで、212kbpsの通信
速度の近接通信が行われることとする。
【００５１】
セキュア通信チップ１２０は、通信相手と相互認証を行い、相互認証の成功後に、通信路を暗号化することで、すなわち、やりとりするデータを、相互認証によって得られる暗号鍵を用いて暗号化することで、セキュア通信を行う。
【００５２】
また、セキュア通信チップ１２０は、給電制御部１３５を制御するための端子を有し、その端子は、信号線を介して、給電制御部１３５に接続されている。
【００５３】
セキュア通信チップ１２０は、給電制御部１３５に対して、後述するスイッチ制御情報を供給することで、給電制御部１３５を制御する。
【００５４】
なお、セキュア通信チップ１２０は、セキュア通信アンテナ１２１で受信される、RW２００からのセキュア通信用のRF(Radio Frequency)信号から得られる電力を電源として動作し、セキュア通信を行う。
【００５５】
電力受信制御部１３０は、電力受信アンテナ１３１、及び、給電制御部１３５と接続されている。
【００５６】
電力受信制御部１３０は、電力受信アンテナ１３１を介して、RW２００からの無線電力伝送によって送信されてくる、高速通信を行うための電力を受信し、給電制御部１３５に供給するとともに、給電制御部１３５を介して、メディア制御用CPU１１０、不揮発メモリ１１１、及び、高速通信スレーブコントローラ１１２に供給する。
【００５７】
ここで、メディア制御用CPU１１０、不揮発メモリ１１１、及び、高速通信スレーブコントローラ１１２は、以上のように、電力受信制御部１３０から給電制御部１３５を介して供給される電力を電源として動作し、高速通信を行う。
【００５８】
給電制御部１３５についても、電力受信制御部１３０から供給される電力を電源として動作する。
【００５９】
なお、電力受信制御部１３０とRW２００との間で行われる無線電力伝送の伝送方式としては、例えば、電磁誘導型を採用することができる。また、無線電力伝送の伝送方式としては、その他、例えば、磁気共鳴型等の無線電力伝送方式を採用することができる。
【００６０】
電磁誘導型による無線電力伝送は、磁気共鳴型による無線電力伝送に比較して、電力の伝送効率はよいが、アンテナの位置ずれ（電力を送信するためのアンテナと、電力を受信するためのアンテナとの位置のずれ）に弱い。逆に、磁気共鳴型による無線電力伝送は、電磁誘導型による無線電力伝送に比較して、アンテナの位置ずれに強いが、電力の伝送効率が劣る。
【００６１】
給電制御部１３５は、RW２００との間で、非接触通信メディア１００が高速通信を行うための電力の給電を行う。
【００６２】
すなわち、給電制御部１３５は、電力受信制御部１３０からの電力を、高速通信を行うためのブロックであるメディア制御用CPU１１０、不揮発メモリ１１１、及び、高速通信スレーブコントローラ１１２に供給する給電を行う。
【００６３】
具体的には、給電制御部１３５は、給電を行うためのスイッチを内蔵し、セキュア通信チップ１２０から供給されるスイッチ制御情報に従って、スイッチを、オン又はオフ状態にすることで、電力受信制御部１３０からの電力を、高速通信を行うためのブロックであるメディア制御用CPU１１０、不揮発メモリ１１１、及び、高速通信スレーブコントローラ１１２に供給し、又は、その電力の供給を遮断する。
【００６４】
以上のように構成される非接触通信メディア１００では、メディア制御用CPU１１０、不揮発メモリ１１１、高速通信スレーブコントローラ１１２、電力受信制御部１３０、及び、給電制御部１３５は、RW２００による無線電力伝送によって送信（伝送）される電力によって動作し、セキュア通信チップ１２０は、RW２００からのセキュア通信用のRF信号から得られる電力によって動作する。
【００６５】
このため、非接触通信メディア１００は、電源（バッテリ）を有しておらず、電子定期券や電子マネー等としてのICカード（やICチップ）と同程度のサイズのカード型に（小型に）構成することができる。
【００６６】
図１において、不揮発メモリ１１１には、保護コンテンツが保存される。高速無線通信用スレーブコントローラ１１２は、高速無線通信用アンテナも含むものとする。制御用ＣＰＵ１１０と不揮発メモリ１１１、
および高速無線通信用スレーブコントローラ１１２はバスにて接続されている。
【００６７】
また、課金対応カード型非接触メディア１００は、フェリカセキュア（FeliCa Secure）カードチップ１２０を有し、カードチップ１２０は、フェリカカードアンテナ１２１を含む。また、本実施形態において、カードチップ１２０は、耐タンパ機能を有するチップである。課金対応カード型非接触メディア１００が保有するマネー情報は、カードチップ１２０が有するフラッシュメモリ（セキュアメモリ：不図示）に保存される。このため、カードチップ１２０は、フラッシュメモリに情報を書き込む情報書込部、マネー情報による決済処理を行う決済処理部として機能する。
【００６８】
図１に示すように、課金対応カード型非接触メディア１００は、電力受信制御部１３０を有する。電力受信制御部１３０は、電力受信アンテナを含む。電力受信制御部１３０
は、外部から電力を受信し、カード制御用ＣＰＵ１１０、データ保存用の不揮発メモリ１１１、高速無線通信用スレーブコントローラ１１２に対して電力供給を行う。
【００６９】
なお、カードチップ１２０は、フェリカカードアンテナ１２１にて受信したＲＦにより起電し、電力受信制御部１３０から独立して起動可能である。
【００７０】
３．リーダライタの構成例
図２は、課金対応読み書き装置（リーダライタ：以下、ＲＷという）２００のハードウェア構成を示す模式図である。ＲＷ２００は、非接触通信メディア１００が高速通信を行うための電力を、無線電力伝送によって送信するマスタ通信装置として機能する。
【００７１】
すなわち、ＲＷ２００は、RW制御用CPU２１０、高速通信マスタコントローラ２２０、高速通信アンテナ２２１、セキュア通信コントローラ２３０、セキュア通信アンテナ２３１、電力送信制御部２４０、電力送信アンテナ２４１、及び、セキュア処理コントローラ２５０を有する。
【００７２】
ＲＷ制御用ＣＰＵ２１０は、例えば、ＵＳＢ等の所定のバスを介して、上位機器２９０と接続される。
【００７３】
さらに、ＲＷ制御用ＣＰＵ２１０は、高速通信マスタコントローラ２２０、セキュア通信コントローラ２３０、及び、セキュア処理コントローラ２５０とバスを介して接続されており、上位機器２９０からの制御等に従い、高速通信マスタコントローラ２２０、セキュア通信コントローラ２３０、及び、セキュア処理コントローラ２５０を制御する。
【００７４】
また、ＲＷ制御用ＣＰＵ２１０は、電力送信制御部２４０と１本の汎用I/O(Input/Output)（インターフェース）で接続されており、電力送信制御部２４０を制御する。
【００７５】
高速通信マスタコントローラ２２０は、高速通信アンテナ２２１と接続されており、この高速通信アンテナ２２１を介して、無線により、非接触通信メディア１００の高速通信スレーブコントローラ１１２との間で、高速通信を行うマスタ側高速通信手段として機能する。
【００７６】
セキュア通信コントローラ２３０は、セキュア通信アンテナ２３１と接続されており、このセキュア通信アンテナ２３１を介して、無線により、非接触通信メディア１００のセキュア通信チップ１２０との間で、セキュア通信を行うマスタ側セキュア通信手段として機能する。
【００７７】
すなわち、セキュア通信コントローラ２３０は、セキュア通信アンテナ２３１から、ＲＦ信号を出力し、ポーリングをかける。
【００７８】
一方、ＲＷ２００に、非接触通信メディア１００がかざされることによって、非接触通信メディア１００（のセキュア通信アンテナ１２１）と、ＲＷ２００（のセキュア通信アンテナ２３１）とが近接すると、非接触通信メディア１００のセキュア通信チップ１２０は、ＲＷ２００のセキュア通信コントローラ２３０からのポーリングに対して応答するレスポンスを返す（負荷変調により送信する）。
【００７９】
ＲＷ２００のセキュア通信コントローラ２３０は、非接触通信メディア１００のセキュア通信チップ１２０からのレスポンスを受信し、その旨を、ＲＷ制御用CPU２１０に知らせ、これにより、ＲＷ制御用CPU２１０は、非接触通信メディア１００が、ＲＷ２００に近接したことを認識する。
【００８０】
ここで、セキュア通信の通信方式として、例えば、上述のように、FeliCa（登録商標）を採用する場合、セキュア通信コントローラ２３０としては、FeliCa（登録商標）のＲＷが採用される。
【００８１】
電力送信制御部２４０は、電力送信アンテナ２４１と接続されており、電力送信アンテナ２４１を介して、非接触通信メディア１００が高速通信を行うのに必要な電力を、無線電力伝送によって送信する。
【００８２】
セキュア処理コントローラ２５０は、耐タンパ性を有し、セキュア通信コントローラ２３０がセキュア通信を行うために必要な、例えば、通信路の暗号化等の処理であるセキュア処理を行う。
【００８３】
ここで、セキュア通信の通信方式として、例えば、上述のように、FeliCa（登録商標）を採用する場合、セキュア処理コントローラ２５０としては、FeliCa（登録商標）のセキュア処理を行うセキュアチップが採用される。
【００８４】
また、ＲＷ２００が動作するのに必要な電力は、上位機器２９０、又は、図示せぬ電源から、ＲＷ２００に供給される。
【００８５】
４．非接触通信メディアとＲＷとが近接したときの処理
ＲＷ２００は、上位機器２９０に正常に認識されたことを認識して、非接触通信メディア１００がかざされること等によって近接することを待つメディア待ち状態となる。メディア待ち状態となると、ＲＷ制御用ＣＰＵ２１０は、セキュア通信のポーリングを行うことを要求するセキュア通信Polling要求コマンドを、セキュア通信コントローラ２３０に送信する。
【００８６】
セキュア通信コントローラ２３０は、ＲＷ制御用CPU２１０からのセキュア通信Polling要求コマンドを受信し、そのセキュア通信Polling要求コマンドに応じて、ポーリングとしてのセキュア通信Pollingパケットの送信（RF信号による送信）を、セキュア通信アンテナ２３１を介して行う。
【００８７】
ここで、非接触通信メディア１００が、ＲＷ２００に近接した状態にない場合、セキュア通信Pollingパケットに対する応答は、返ってこない。そして、セキュア通信Pollingパケットに対する応答が返ってこない場合、セキュア通信コントローラ２３０は、ＲＷ制御用ＣＰＵ２１０からのセキュア通信Polling要求コマンドに対する応答を、ＲＷ制御用ＣＰＵ２１０に返さない。ＲＷ制御用ＣＰＵ２１０は、セキュア通信Polling要求コマンドに対する応答が返ってこない場合、セキュア通信Polling要求コマンドを、セキュア通信コントローラ２３０に、定期的に送信する。これにより、セキュア通信コントローラ２３０では、セキュア通信Pollingパケットが、定期的に送信される。
【００８８】
その後、非接触通信メディア１００が、RW２００にかざされ、非接触通信メディア１００とＲＷ２００とが近接すると、非接触通信メディア１００のセキュア通信チップ１２０は、セキュア通信Pollingパケットを受信し、そのセキュア通信Pollingパケットに対する応答としてのセキュア通信Polling返信パケットを、セキュア通信アンテナ１２１を介して送信する。
【００８９】
ＲＷ２００のセキュア通信コントローラ２３０は、非接触通信メディア１００のセキュア通信チップ１２０からのセキュア通信Polling返信パケットを受信し、そのセキュア通信Polling返信パケットに応じて、メディア検出がされたことを表すメディア検出レスポンスを、セキュア通信Polling要求コマンドに対する応答として、ＲＷ制御用ＣＰＵ２１０に送信する。
【００９０】
ＲＷ制御用ＣＰＵ２１０は、セキュア通信コントローラ２３０からのメディア検出レスポンスを受信し、このメディア検出レスポンスによって、メディア検出がされたことを認識する。
【００９１】
その後、ＲＷ制御用ＣＰＵ２１０は、上位機器２９０からの（最新の）状態確認パケットを受信すると、その状態確認パケットに対して、メディア検出がされたことを表すメディア検出パケットを、上位機器２９０に返す。
【００９２】
図２に示すように、課金対応読み書き装置２００は、ハードウェア構成上の大きな特徴として、セキュアコントローラ２５０を搭載している。ここで、セキュアコントローラ２５０としては、耐タンパ機能を有するチップを想定している。
【００９３】
読み書き装置制御用ＣＰＵ２１０と、高速無線通信用マスタコントローラ２２０、ＲＦコントローラ２３０、またはセキュアコントローラ２５０とは、バスにて接続される。また、読み書き装置制御用ＣＰＵ２１０と電力送信制御部２４０は、１本の汎用ＩＯにて接続される。
【００９４】
読み書き装置制御用ＣＰＵ２１０は、上位機器２９０とバスにて接続される。上位機器２９０は、一例としてパーソナルコンピュータ（ＰＣ）またはテレビ受像機などの機器とする。本実施形態では、課金対応読み書き装置２００と上位機器２９０を接続するバスとしてＵＳＢを想定しているが、他のバスに置き換えることも可能である。
【００９５】
以下、相互認証について説明する。ＲＷ制御用ＣＰＵ２１０は、セキュア処理コントローラ２５０に、相互認証を要求する相互認証開始要求コマンド３１０を送信する。セキュア処理コントローラ２５０は、ＲＷ制御用ＣＰＵ２１０からの相互認証開始要求コマンドを受信し、その相互認証開始要求コマンド３１０に対する応答である相互認証レスポンスを、ＲＷ制御用ＣＰＵ２１０に返す。
【００９６】
ＲＷ制御用ＣＰＵ２１０は、セキュア処理コントローラ２５０からの相互認証レスポンス３１１を受信し、その相互認証レスポンス３１１に応じて、相互認証のためのデータのやりとりを要求する相互認証要求コマンド３２０を、セキュア通信コントローラ２３０に送信する。
【００９７】
セキュア通信コントローラ２３０は、ＲＷ制御用ＣＰＵ２１０からの相互認証要求コマンド３２０を受信し、その相互認証要求コマンド３２０に応じて、相互認証のためのデータのやりとりを開始する。すなわち、セキュア通信コントローラ２３０は、セキュア処理コントローラ２５０から、ＲＷ制御用CPU２１０を介して供給される、相互認証のためのデータを含む相互認証パケット３２１を、非接触通信メディア１００に送信する。
【００９８】
非接触通信メディア１００では、セキュア通信チップ１２０が、セキュア通信コントローラ２３０からの相互認証パケット３２１を受信し、その相互認証パケット３２１に応じて、必要な認証処理を行う。
【００９９】
そして、セキュア通信チップ１２０は、認証処理の結果に応じて、給電制御部１３５（図１）が内蔵するスイッチをオン、又は、オフ状態にするスイッチ制御情報の、給電制御部１３５への供給を開始する。
【０１００】
なお、いまのタイミングでは、ＲＷ２００は、無線電力伝送を行っていないので、非接触通信メディア１００において、給電制御部１３５には、電力は供給されていない。したがって、給電制御部１３５は、動作しない。
【０１０１】
セキュア通信チップ１２０は、セキュア通信コントローラ２３０からの相互認証パケット３２１に応じた認証処理を終了すると、その相互認証パケット３２１に対する応答である、相互認証のためのデータを含む相互認証レスポンスパケット３２２を返す。
【０１０２】
セキュア通信コントローラ２３０は、セキュア通信チップ１２０からの相互認証レスポンスパケット３２２を受信し、その相互認証レスポンスパケット３２２と同様の内容の相互認証レスポンス３２３を、ＲＷ制御用ＣＰＵ２１０を介して、セキュア処理コントローラ２５０に返す。
【０１０３】
非接触通信メディア１００のセキュア通信チップ１２０と、ＲＷ２００のセキュア処理コントローラ２５０との間では、ＲＷ制御用ＣＰＵ２１０、及び、セキュア通信コントローラ２３０を介して、相互認証に必要なデータがやりとりされることで、例えば、FeliCa（登録商標）で採用されている相互認証が行われる。
【０１０４】
そして、非接触通信メディア１００と、RW２００との間の相互認証が成功すると、非接触通信メディア１００、及び、ＲＷ２００それぞれは、通信相手が正規の機器であることを認識し、非接触通信メディア１００のセキュア通信チップ１２０と、ＲＷ２００のセキュア処理コントローラ２５０との間の通信路（ＲＷ制御用ＣＰＵ２１０、及び、セキュア通信コントローラ２３０を介した通信路）は暗号化される。すなわち、非接触通信メディア１００のセキュア通信チップ１２０と、ＲＷ２００のセキュア処理コントローラ２５０との間には、暗号化されたデータがやりとりされる通信路（以下、暗号通信路ともいう）が確立される。
【０１０５】
その結果、非接触通信メディア１００のセキュア通信チップ１２０と、RW２００のセキュア通信コントローラ２３０（ひいては、セキュア処理コントローラ２５０）との間では、セキュアに通信を行うことができる。
５．無線電力伝送に係る処理
【０１０６】
次に、無線電力伝送に係る処理について説明する。ＲＷ２００のＲＷ制御用ＣＰＵ２１０は、相互認証が成功すると、無線電力伝送の開始を指示する電力供給開始指示を、電力送信制御部２４０に送信する。
【０１０７】
電力送信制御部２４０は、ＲＷ制御用ＣＰＵ２１０からの電力供給開始指示を受信し、その電力供給開始指示１７００に応じて、電力送信アンテナ２４１を介して、無線電力伝送のためのＲＦ信号の出力を開始し、これにより、非接触通信メディア１１０への無線電力伝送が開始される。
【０１０８】
電力受信制御部１３０は、以上のように、相互認証の成功後に、ＲＷ２００の電力送信制御部２４０が開始する無線電力伝送によって送信されてくる電力を、電力受信アンテナ１３１を介して受信する。
【０１０９】
そして、電力受信制御部１３０は、無線電力伝送による電力の、給電制御部１３５への供給（電力供給）を開始し、これにより、給電制御部１３５は、電力受信制御部１３０からの電力を電源として、動作を開始する。
【０１１０】
非接触通信メディア１００において、給電制御部１３５が動作を開始したとき、相互認証が成功したセキュア通信チップ１２０は、スイッチ制御情報を、給電制御部１３５に供給している。
【０１１１】
給電制御部１３５は、動作の開始後、セキュア通信チップ１２０からのスイッチ制御情報を記憶し、電力受信制御部１３０からの電力の供給がされている間、そのスイッチ制御情報を記憶し続ける。
【０１１２】
そして、給電制御部１３５は、記憶しているスイッチ制御情報に従って、内蔵するスイッチを、オン、又は、オフ状態にし、そのスイッチの状態によって、電力受信制御部１３０からの電力の、メディア制御用ＣＰＵ１１０、不揮発メモリ１１１、及び、高速通信スレーブコントローラ１１２への供給である給電を行い、又は、給電を遮断する。
【０１１３】
すなわち、セキュア通信チップ１２０は、相互認証においてRW２００が正規の機器であることを認識した場合は、スイッチをオン状態にする旨のスイッチ制御情報を、給電制御部１３５に供給する。
【０１１４】
したがって、ＲＷ２００が、正規の機器である場合、給電制御部１３５は、内蔵するスイッチをオン状態にし、これにより、メディア制御用ＣＰＵ１１０、不揮発メモリ１１１、及び、高速通信スレーブコントローラ１１２への給電が行われる。一方、ＲＷ２００が正規の機器であることを認識することができなかった場合は、スイッチをオフ状態にする旨のスイッチ制御情報を、給電制御部１３５に供給する。
【０１１５】
したがって、ＲＷ２００が、正規の機器でない場合、給電制御部１３５は、内蔵するスイッチをオフ状態にし、これにより、メディア制御用ＣＰＵ１１０、不揮発メモリ１１１、及び、高速通信スレーブコントローラ１１２への給電は、遮断される。
【０１１６】
その結果、正規の機器でない不正なＲＷによって、非接触通信メディア１００の不揮発メモリ１１１に対して、不正なアクセスがされることを防止することができる。非接触通信メディア１００では、セキュア通信チップ１２０と、セキュア通信コントローラ２３０（ひいては、セキュア処理コントローラ２５０）との間で、相互認証が成功しない限り、RW２００から、無線電力伝送によって電力が送信されてきても、その電力の、メディア制御用CPU１１０、不揮発メモリ１１１、及び、高速通信スレーブコントローラ１１２への給電は、給電制御部１３５によって遮断される。
【０１１７】
その結果、非接触通信メディア１００は、メディア制御用CPU１１０、不揮発メモリ１１１、及び、高速通信スレーブコントローラ１１２において、高速通信を行うことが可能な状態にならないので、不揮発メモリ１１１に対して、不正にアクセスされることを防止すること（保護機能を強化すること）ができる。
【０１１８】
非接触通信メディア１００と、ＲＷ２００との間の相互認証が成功した場合には、給電制御部１３５は、電力受信制御部１３０からの電力の、メディア制御用ＣＰＵ１１０、不揮発メモリ１１１、及び、高速通信スレーブコントローラ１１２への供給である給電を行い、これにより、高速通信を行うブロックであるメディア制御用ＣＰＵ１１０、不揮発メモリ１１１、及び、高速通信スレーブコントローラ１１２は、電力受信制御部１３０から給電制御部１３５を介して供給される電力を電源として、動作を開始する。
【０１１９】
一方、ＲＷ２００のＲＷ制御用ＣＰＵ２１０は、電力供給開始指示を送信した後、適切な待ち時間だけ待って、セキュア通信RFoffコマンドを、セキュア通信コントローラ２３０に送信する。セキュア通信コントローラ２３０は、RW制御用CPU２１０からのセキュア通信RFoffコマンドを受信し、そのセキュア通信RFoffコマンドに応じて、セキュア通信アンテナ２３１からのセキュア通信用のRF信号の出力を停止する。
【０１２０】
セキュア通信コントローラ２３０が、RF信号の出力を停止すると、非接触通信メディア１００のセキュア通信チップ１２０は、電源となる電力を得ることができなくなり、動作を停止する。
５．高速無線通信における暗号化処理
次に、高速無線通信における暗号化処理について説明する。非接触通信メディア１００のセキュア通信チップ１２０と、RW２００のセキュア通信コントローラ２３０（ひいては、セキュア処理コントローラ２５０）との間で、相互認証を行い、相互認証の成功後に、RW２００では、非接触通信メディア１００のセキュア通信チップ１２０にあらかじめ記憶された、設定パスワード（をハッシュ化したハッシュパスワード）を含むセキュア保存領域分割情報５３０を、非接触通信メディア１００から、セキュア通信により受信する。
【０１２１】
さらに、RW２００では、非接触通信メディア１００から受信したセキュア保存領域分割情報５３０に含まれる設定パスワードと、ユーザによって外部（上位機器２９０）から入力された入力パスワードとが一致している場合に、その一致しているパスワードから生成される個別暗号鍵でデータを暗号化した暗号化データが、高速通信によりやりとりされる。
【０１２２】
したがって、非接触通信メディア１００の高速通信スレーブコントローラ１１２と、RW２００の高速通信マスタコントローラ２２０との間の高速通信自体の通信速度の低下を抑えて、セキュアな通信を行うことができる。
【０１２３】
また、非接触通信メディア１００の不揮発メモリ１１１のユーザ暗号化領域に記憶されるデータは、個別暗号鍵を用いて暗号化されており、その個別暗号鍵の生成に必要なハッシュパスワード及び個別IDは、耐タンパ性を有するセキュア通信チップ１２０が内蔵するメモリに記憶されているので、非接触通信メディア１００が第三者の手に渡った場合でも、ユーザ暗号化領域に記憶されたデータの漏洩（流出）を防止することができる。
【０１２４】
RW２００において、セキュア通信用のRF信号と、無線電力伝送で用いられるRF信号との両方が出力されると、そのセキュア通信用のRF信号と、無線電力伝送で用いられるRF信号との間で、干渉を生じることがある。
【０１２５】
すなわち、GHz帯の回路の製造が簡単でないこと、数100KHzないし数MHzの周波数の回路の製造は容易であること、数100KHzないし数MHzの周波数の回路を構成するためのコンデンサ等の部品は安価であり、回路のコストを抑えることができること、等の理由により、無線電力伝送のRF信号の周波数としては、例えば、数100Hzないし数MHz程度が採用される。
【０１２６】
RW２００の電力送信制御部２４０において、そのような周波数で無線電力伝送が行われる場合において、セキュア通信の通信方式として、例えば、上述したように、FeliCa（登録商標）が採用されているときには、FeliCa（登録商標）のキャリアの周波数は、13.56MHzであり、無線電力伝送で用いられるRF信号の周波数と近いため、FeliCa（登録商標）のキャリア、つまり、セキュア通信用のRF信号と、無線電力伝送で用いられるRF信号との間では、干渉を生じる。
【０１２７】
以上のように、セキュア通信用のRF信号と、無線電力伝送のRF信号と（の周波数）が干渉を起こす場合には、その干渉を防止するために、RW２００のセキュア通信コントローラ２３０では、無線電力伝送が開始される前に、セキュア通信用のRF信号の出力を停止することが望ましい。
【０１２８】
このため、本実施形態では、上述した「ダウンロード単純課金」、「複数コンテンツプリペイド」、「複数コンテンツポストペイド」、「対象コンテンツ限定課金」の各処理において、セキュア通信と無線電力伝送とを別個のタイミングで行い、干渉を抑止している。
【０１２９】
６．マネー情報の構造
図３は、課金対応カード型非接触メディア１００に蓄積されるマネー情報の構造を示す模式図である。マネー情報は、マネー情報管理テーブル３００に管理される。マネー情報管理テーブル３００は、カードチップ１２０内に含まれるフラッシュメモリに保存される。マネー情報管理テーブル３００は、マネー残高３１０およびマネー属性３２０を１組のレコード（記録情報）とし、複数のレコードを含むように構成される。
【０１３０】
図３において、マネー残高３１０は、残高金額（例えば１，０００円など）の情報を保持する。マネー属性３２０は、例えば「映画」、「音楽」、「ゲーム」、「すべて」などの属性うち１つの値を持つ。これにより、例えば「映画についての残高金額が１０００円」、「音楽についての残高金額が２０００円」などの情報を、各組のレコードのマネー残高３１０及びマネー属性３２０によって表すことができる。
【０１３１】
７．コンテンツ情報の構造
図４は、課金対応カード型非接触メディア１００に蓄積されるコンテンツ情報の構造を示す模式図である。コンテンツ情報は、コンテンツ情報管理テーブル４００に管理される。コンテンツ情報管理テーブル４００は、セキュアカードチップ１２０内に含まれるフラッシュメモリに保存される。コンテンツ情報管理テーブル４００は、コンテンツ情報４１０およびコンテンツ状況４２０を１組のレコードとし、複数のレコードを含む。コンテンツ自体は不揮発メモリ１１１に保存される。
【０１３２】
図４において、コンテンツ情報４１０は、不揮発メモリ１１１に含まれるコンテンツのタイトルやサイズなどの情報に相当する。コンテンツ状況４２０は、コンテンツのステータスを示す情報であり、例えば「書き込み中」、「書き込み済み」、「決済完了」、「閲覧済み」などのうち１つの情報（値）に相当する。
【０１３３】
ここで、上述したように、フェリカカードチップ１２０は耐タンパ性を有している。マネー情報管理テーブル３００、およびコンテンツ情報管理テーブル４００は、耐タンパ機能を持ったカードチップ１２０に保存されるため、これらのテーブルが偽造されることを確実に抑止できる。
【０１３４】
以下、課金対応カード型非接触メディア１００へのコンテンツ書き込み時、読み出し時、および課金・決済処理時の動作について説明する。以下では、コンテンツ書き込み、読み込み、および課金処理時のフェリカ通信、高速無線通信、無線給電のそれぞれのタイミング制御について詳細に説明する。
【０１３５】
図５は、課金対応カード型非接触メディア１００へのマネーチャージ処理シーケンスを示すタイミングチャートである。課金対応カード型非接触メディア１００が課金対応読み書き装置２００にかざされ、初期相互認証処理は完了しているものとする。
【０１３６】
図５において、期間Ａにてフェリカ通信を行い、マネーチャージ処理を行う。図５に示す通り、チャージ処理を行う期間Ａでは、フェリカ通信のみを使用し、高速無線通信、および無線電力伝送は使用しない。以下、これらはすべて課金対応読み書き装置２００で制御を行う。
【０１３７】
電力受信制御部１３０と電力送信制御部２４０との間で電力伝送を行う場合、その周波数は２００ｋＨｚ程度となる。一方、フェリカ通信の周波数は１３．５６ＭＨｚ、データ伝送速度は２１２ｋｂｐｓである。このため、双方の帯域が干渉してしまうことが想定される。
【０１３８】
本実施形態では、フェリカ通信時には、高速無線通信、および無線電力伝送は使用しないため、相互に帯域が干渉してしまうことがなく、チャージ処理を確実に行うことができる。従って、チャージ処理の信頼性を大幅に高めることが可能である。
【０１３９】
チャージ処理は、セキュアカードチップ１２０内のフラッシュメモリに保存されているマネー情報管理テーブル３００に対する読み出し（リード）、および書き込み（ライト）処理で実現する。
【０１４０】
本実施形態では、マネー情報管理テーブル３００に対して書き込みされるデータは、「通常チャージ」と「限定チャージ」の２つのケースで異なる。以下、「通常チャージ」および「限定チャージ」の２つのケースについて説明する。
【０１４１】
「通常チャージ」は、チャージした金額が、全てのコンテンツの課金処理に利用可能なチャージ方法である。この場合、マネー属性３２０が「すべて」に対応するマネー残高３１０の値が更新される。従って、マネー属性３２０が「映画」、「音楽」または「ゲーム」に対応するマネー残高３１０の値は更新されない。
【０１４２】
「限定チャージ」は、ある特定のコンテンツに対する課金処理でのみ利用可能なチャージ方法である。この場合、限定チャージのマネー属性３２０が「ゲーム」に指定されている場合、マネー属性３２０が「ゲーム」に対応するマネー残高３１０の値が更新される。ここでは、ユーザが限定チャージ時に課金対象の対応するコンテンツ種別を画面などで選択することを想定している。
【０１４３】
８．各処理の具体的手順
次に、上述した「１．本実施形態の概要」にて説明した、「ダウンロード単純課金」、「複数コンテンツプリペイド」、「複数コンテンツポストペイド」、「対象コンテンツ限定課金」のそれぞれの処理について詳細に説明する。
【０１４４】
図６は、「ダウンロード単純課金」の方法の実行時におけるコンテンツ書き込み、および決済処理シーケンスを示すタイミングチャートである。ここでは、一例として、店舗に設置されたキオスク端末などでコンテンツをメディアカードにダウンロードした後、同じメディアカードで決済を完了させるようなケースを想定する。
【０１４５】
また、以下におけるフェリカ通信、高速無線通信、無線電力伝送の各種制御は課金対応読み書き装置２００で制御を行うものとする。
【０１４６】
図６における期間Ａでは、フェリカ通信を使用し、課金対応カード型非接触メディア１００からマネー残高３１０を読み出すことにより残高の確認を行う。次に、同じく期間Ａにてフェリカ通信を使用し、これから書き込みを行うコンテンツの情報をコンテンツ情報４１０に書き込み、同時にコンテンツ状況４２０を「書き込み中」に書き換える。
【０１４７】
次に、期間Ｂにてユーザが指定したコンテンツデータを不揮発メモリ１１１へライト（書き込み）するため、フェリカ通信をオフ（ｏｆｆ）とし、高速無線通信および無線電力伝送をオン（ｏｎ）にする。これにより、高速無線通信を利用してコンテンツデータを不揮発メモリ１１１へ書き込むことができる。また、コンテンツデータのライト中には無線電力伝送が行われるため、ライト中に課金対応カード型非接触メディア１００の電力が不足してしまうことを抑止できる。更に、フェリカ通信と無線電力伝送が相互に干渉してしまうことがなく、フェリカ通信と無線電力伝送とを別個に安定して行うことが可能である。
【０１４８】
コンテンツのライト（書き込み）中、ある一定間隔で期間Ｃを設け、フェリカ通信を利用して書き込み済みコンテンツデータのバイト数をセキュアカードチップ１２０に書き込む。この際、高速無線通信および無線電力伝送はオフ（ｏｆｆ）にする。
【０１４９】
これにより、コンテンツの書き込みの途中で、カード型非接触メディア１００と読み書き装置２００の相対的な位置がずれるなどして通信断が発生してもカードチップ１２０には、書き込み済みバイト数、コンテンツ情報４１０及びコンテンツ状況４２０が書き込まれた状態となる。従って、カードチップ１２０に書き込まれている書き込み済みバイト数、およびコンテンツ情報４１０、
コンテンツ状況４２０を元に再開処理を行うことが可能となる。
【０１５０】
全てのコンテンツの書き込みが完了すると、期間Ｄにてフェリカ通信を使用し、セキュアカードチップ１２０へ決済処理および権利情報の書き込みを行う。具体的には、マネー残高３１０を更新し、コンテンツ状況４２０を「決済完了」に書き換える処理を行う。この際、高速無線通信および無線電力伝送はオフ（ｏｆｆ）にする。この際、ダウンロードしたコンテンツのマネー属性３２０に対応するマネー残高３１０から、コンテンツのダウンロード代金に相当する額が差し引かれる。
【０１５１】
以上により、課金対応カード型非接触メディア１００に対してダウンロードを行ったコンテンツの閲覧が可能となる。以下では、コンテンツの閲覧の際の処理方法を示す。
【０１５２】
図７は、「ダウンロード単純課金」の方法実行時のコンテンツ読み出しシーケンスを示すタイミングチャートである。図７において、期間Ａでは、フェリカ通信を使用して、コンテンツ情報４１０、コンテンツ状況４２０、および権利情報を読み出す。ここで、コンテンツ状況４２０が「決済完了」であり、更に正当な権利情報が確認できれば、正常な読み出し処理を行う。
【０１５３】
続く期間Ｂにて、フェリカ通信はオフ（ｏｆｆ）にし、課金対応読み書き装置２００は、高速無線通信、および無線電力伝送を使用して不揮発メモリ１１１に含まれるコンテンツの読み出しを行う。読み出されたコンテンツデータは、上位機器２９０に送られて、上位機器２９０にてコンテンツの再生を行う。
【０１５４】
次に、「複数コンテンツプリペイド」の場合の処理について説明する。図８は、「複数コンテンツプリペイド」方法実行時の事前コンテンツ書き込み処理シーケンスを示すタイミングチャートである。ここでは、一例として、店舗などにおいて事前に複数の保護コンテンツをメディアカードに対して書き込む処理を想定する。
【０１５５】
図８において、期間Ａにて高速無線通信および無線電力伝送を使用して、コンテンツデータを課金対応カード型非接触メディア１００に対して送信し、不揮発メモリ１１１に保護コンテンツの書き込みを行う。書き込みが完了すると、期間Ｂにおいて、フェリカ通信を使用して、セキュアカードチップ１２０にコンテンツ情報の書き込みを行う。具体的には、コンテンツ情報４１０を更新するとともに、コンテンツ状況４２０を「書き込み済み」に更新する。ここで、コンテンツ状況４２０が「書き込み済み」の状態では、決済処理が完了していないため、正常な閲覧を行うことはできない。
【０１５６】
図９は、「複数コンテンツプリペイド」方法実行時の課金処理、およびコンテンツ読み出しシーケンスを示すタイミングチャートである。ここでは、複数の保護コンテンツに対して、ユーザが望むタイトルに対して事前に決済を行い、閲覧を可能にする処理を想定している。
【０１５７】
図９において、期間Ａでは、フェリカ通信を使用してユーザの望むタイトルに対する決済処理を行う。具体的には、セキュアカードチップ１２０に含まれるマネー残高３１０の更新を行い、コンテンツ状況４２０を「決済完了」に更新する。例えば、課金対応カード型非接触メディア１００の不揮発メモリ１１１に保存されているコンテンツのうち、ユーザが「映画」についてプリペイドする場合、マネー属性３２０が「映画」のマネー残高３１０の値が差し引かれる。更に正当な権利情報が確認できれば、決済が行われたコンテンツについて正常な閲覧が可能な状態となる。
【０１５８】
次に、期間Ｂにてフェリカ通信を使用し、コンテンツ状況４２０、権利情報の読み込みを行う。ここで、コンテンツ状況４２０が「決済完了」であれば、コンテンツの正常な読み出し処理が可能である。続く期間Ｃにて、フェリカ通信はオフ（ｏｆｆ）にして、高速無線通信および無線電力伝送を使用して不揮発メモリ１１１に含まれるコンテンツの読み出しを行う。読み出されたコンテンツデータは、上位機器２９０に送られて、上位機器２９０にてコンテンツの再生を行う。
【０１５９】
図１０は、「複数コンテンツポストペイド」の方法実行時のコンテンツ読み出しシーケンスを示すタイミングチャートである。ここでは、店舗などで、事前に複数の保護コンテンツをメディアカードに対して書き込みを行い、その後、ユーザが閲覧を行ったコンテンツにのみ後の課金のためのフラグを記憶させる処理を想定する。ここで、コンテンツの書き込み方法は図８に示した方法と同じであるため、ここでの説明は省略する。以下では、ユーザが望むコンテンツの閲覧を行う際の処理シーケンスを示す。
【０１６０】
図１０に示すように、先ず、期間Ａにてフェリカ通信を使用し、コンテンツ情報管理テーブル４００を読み出す。ユーザは、コンテンツ情報管理テーブル４００に含まれる１つ以上のコンテンツ情報４１０の中から望むコンテンツを指定する。
【０１６１】
続く期間Ｂにて、フェリカ通信をオフ（ｏｆｆ）にして、高速無線通信および無線電力伝送を使用して不揮発メモリ１１１に含まれるコンテンツの読み出しを行う。読み出されたコンテンツデータは、上位機器２９０に送られて、上位機器２９０にてコンテンツの再生を行う。
【０１６２】
次に、コンテンツの再生開始または再生終了のタイミングで、コンテンツの閲覧を行った旨を示すマークをセキュアカードチップ１２０に書き込む。具体的には、期間Ｃにて、セキュアカードチップ１２０に含まれるコンテンツ情報４１０に対応するコンテンツ状況４２０を「閲覧済み」に更新する。これにより、ユーザは、以降の同一コンテンツの閲覧ができなくなる。
【０１６３】
図１１は、「複数コンテンツポストペイド」の方法実行時の事後課金処理シーケンスを示すタイミングチャートである。ここでは、図１０で示したシーケンスにて、ユーザが閲覧を行った課金対応カード型非接触メディア１００を店舗などに返却し、そこで決済処理を行うことを想定している。
【０１６４】
図１１において、期間Ａにてフェリカ通信を使用し、セキュアカードチップ１２０に含まれるコンテンツ情報４１０を読み出す。そして、コンテンツ情報４１０に対応するコンテンツ状況４２０のうち「閲覧済み」の値を持つコンテンツに対して、次の期間Ｂにて決済処理を行う。具体的にはセキュアカードチップ１２０に含まれるマネー残高３１０を更新する。更に、コンテンツ状況４２０を「決済完了」に更新することで、二重決済を防止する。
【０１６５】
図１２は、「対象コンテンツ限定課金」の方法実行時のコンテンツ書き込み、および課金処理シーケンスを示すタイミングチャートである。ここでは、事前に図５の「限定チャージ」にて示した手順でのチャージが完了しているものとする。また本決済処理方法は、図６、
図９、 図１１にて示した課金、決済処理時のすべてに適用することができるが、ここでは、一例として図９にて示した決済処理時に本決済方法を適用することを想定する。
【０１６６】
図１２における期間Ａにて、フェリカ通信を使用してコンテンツ情報管理テーブル４００を読み出す。ユーザは、コンテンツ情報管理テーブル４００に１つ以上含まれるコンテンツ情報４１０から望みのコンテンツを選択し、次の決済処理に移る。続く決済処理では、コンテンツ情報４１０からコンテンツの属性を判断し、マネー情報管理テーブル３００から対応するマネー属性３２０を決定する。
【０１６７】
次に、選択したマネー属性３２０に対応するマネー残高３１０の情報を元に決済処理を行う。ここで選択したマネー残高３１０が足りない場合は、マネー属性３２０が「すべて」に対応するマネー残高３１０に対して更新処理を行う。以上により、１枚のメディアカードにてコンテンツのダウンロード、および決済処理がすべて可能となる。
【０１６８】
以上説明したように本実施形態によれば、メディアカードに課金機能を搭載することにより、コンテンツのダウンロードおよび課金処理を１枚のカードで行うことができる。また、すべて非接触通信で行うことにより「かざす」アクションのみでコンテンツの書き込み、および課金処理を行うことができる。また、複数のコンテンツが書き込まれたメディアカードにおいて、ユーザは、事前に課金処理を行うことで、望むコンテンツのみ閲覧することが可能となる。また、複数のコンテンツが書き込まれたメディアカードにおいて、ユーザは実際に閲覧を行ったコンテンツに対してのみ課金を行うことが可能となる。更に、映画やゲームなど特定のコンテンツに紐付けたマネーチャージを行うことで、購入可能なコンテンツに制限をかけることが可能となる。
【０１６９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１７０】
１００    非接触通信メディア
１１１    不揮発メモリ
１２０    セキュア通信チップ
１１２    高速通信スレーブコントローラ
１３０    電力受信制御部
【図１】
0005499913.tif 000002
【図２】
0005499913.tif 000003
【図３】
0005499913.tif 000004
【図４】
0005499913.tif 000005
【図５】
0005499913.tif 000006
【図６】
0005499913.tif 000007
【図７】
0005499913.tif 000008
【図８】
0005499913.tif 000009
【図９】
0005499913.tif 000010
【図１０】
0005499913.tif 000011
【図１１】
0005499913.tif 000012
【図１２】
0005499913.tif 000013